(57)【要約】【課題】２枚の壁部の間に配置される箱体と、箱体を開閉する扉部とを備えた食器洗い機において、遮音部材の巻き込みや擦れを抑制しつつ、箱体と壁部の間の隙間を通じた騒音の漏れを低減する。【解決手段】２枚の壁部１０１、１０２の間に配置される箱体１０と、箱体１０の開口部１１を開閉するように左右のヒンジ部２０により軸支された扉部３０とを備えた食器洗い機１に関する。食器洗い機１は、箱体１０の左右両側面に設けられ、箱体１０の前端部において上下に延びるように形成された第１部材７０と、ヒンジ部２０に設けられ、扉部３０の側面に沿って延びるように且つ、扉部３０が開口部１１を開閉するときに扉部３０と一体的に揺動するように形成された第２部材８０とを備え、第２部材８０は、扉部３０が開口部１１を閉塞しているとき、第１部材７０と共に、箱体１０と壁部１０１、１０２との間をシールする遮音部材６０を構成するよう配置されている。【選択図】図３
2017131394.tif 000002
【特許請求の範囲】
【請求項１】
２枚の壁部の間に配置され、前面が開口している箱体と、前記箱体の左右又は上下の両側面に配置された一対のヒンジ部により軸支され、前記箱体の開口部を開閉する扉部とを備え、前記箱体において前記ヒンジ部が配置された両側面は、それぞれ、前記壁部に対し所定の間隔を空けて対向する食器洗い機であって、
前記両側面に設けられ、当該箱体の前端部において、当該両側面の各々に沿って延びるように形成された第１部材と、
前記ヒンジ部又は前記扉部に設けられ、当該扉部の側面に沿って延びるように且つ、前記扉部が前記開口部を開閉するときに、当該扉部と一体的に揺動するように形成された第２部材とを備え、
前記第２部材は、前記扉部が前記開口部を閉塞しているときに、前記第１部材と共に、前記箱体と前記壁部との間をシールする遮音部材を構成するように配置されている食器洗い機。
【請求項２】
請求項１に記載の食器洗い機において、
前記第１部材は、前記扉部が前記開口部を開閉するときに、前記第２部材と干渉しない位置に配置されている食器洗い機。
【請求項３】
請求項２に記載の食器洗い機において、
前記第１部材は、前記扉部が前記開口部を開閉するときにおける、前記第２部材の揺動端部の軌跡に干渉しない位置に配置されている食器洗い機。
【請求項４】
請求項１から請求項３のいずれか１つに記載の食器洗い機において、
前記遮音部材は、前記箱体の一端部から他端部まで連続するように構成されている食器洗い機。
【請求項５】
請求項１から請求項４のいずれか１つに記載の食器洗い機において、
前記第１部材は、一側部分と、前記一側部分に対し左右又は上下に間隔を空けて配置された他側部分とから構成され、
前記第２部材は、前記一側部分と前記他側部分との間に介在するように配置されている食器洗い機。
【請求項６】
請求項５に記載の食器洗い機において、
前記他側部分は、前記一側部分に対し前後に間隔を空けて配置されており、
前記第２部材は、前記扉部が前記開口部を閉塞しているときに、前記扉部の後面に対し平行に延びるよう配置される垂直部分と、当該後面に対し垂直に延びるよう配置される水平部分とから構成されている食器洗い機。
【請求項７】
請求項１から請求項６のいずれか１つに記載の食器洗い機において、
前記ヒンジ部は、前記扉部の後面に対向する対向面を有し、
前記第２部材には、前記後面と前記対向面との間をシールするように、前記扉部の内方に向かって延びる扉側シール部が設けられている食器洗い機。
【請求項８】
請求項１から請求項７のいずれか１つに記載の食器洗い機において、
前記扉部は、下開き式の扉部であり、
前記扉部の下端部から下方に向かって延び且つ、前記箱体の前面に沿ってシート状に広がるよう形成されたスカート部を備え、
前記スカート部は、前記箱体の前下部よりも後方に配置されており、
前記第２部材には、前記箱体の前下部と前記スカート部の前面との間をシールするように、前記箱体の内方に向かって延びるスカート側シール部が設けられている食器洗い機。
【請求項９】
請求項１から請求項８のいずれか１つに記載の食器洗い機において、
前記壁部は、前記箱体の設置スペースを区画形成している食器洗い機。
【請求項１０】
請求項１から請求項８のいずれか１つに記載の食器洗い機において、
前記壁部は、前記箱体において前記ヒンジ部が配置された両側部に取付固定される板部である食器洗い機。
【発明の詳細な説明】
【技術分野】
【０００１】
ここに開示する技術は、食器洗い機に関する。
【背景技術】
【０００２】
特許文献１には、食器洗い機（食器洗浄機）の一例が開示されている。この食器洗い機は、前面部が開口している箱体（本体）と、その開口部を開閉する扉部とを備えている。この扉部は、いわゆる下開き式の扉部として構成されており、その回転軸は、箱体の前下部に配置された左右のヒンジ部により軸支されている。
【０００３】
特許文献２には、下開き式の扉部を備えた食器洗い機の別例として、いわゆるビルトインタイプの食器洗い機（食器洗浄機）が開示されている。このタイプの食器洗い機は、システムキッチン等に設けられた設置スペース（ビルトインスペース）に組み込まれるよう構成されている。この場合、箱体は、設置スペースを区画形成している壁部の間に設置されることになる。
【先行技術文献】
【特許文献】
【０００４】
【特許文献１】特開平０７−０５９７０６号公報
【特許文献２】特開平０８−１９６５００号公報
【発明の概要】
【発明が解決しようとする課題】
【０００５】
ところで、前記特許文献２に開示された食器洗い機を設置スペースに組み込んだ場合、箱体の左右両側面の各々と、設置スペースを区画している壁部との間には隙間が空くことになる。その場合、機器の内部から生じる騒音は、その隙間を通じて機外に漏れ出すことになる。近年、そのような漏れを低減したい、という要求がある。
【０００６】
そうした要求を満足する方策としては、例えば、箱体と壁部との間の隙間に沿って、箱体の上端部から下端部にかけて上下に延び且つ、その隙間をシールするような遮音部材を、箱体か、扉部に取り付けることが考えられる。そうした遮音部材はまた、機器の内部から生じる騒音を可能な限り遮音するべく、箱体の前端部付近に配置することが求められる。
【０００７】
ところが、前記のような遮音部材を箱体に取り付けた場合、遮音部材は、扉部が開閉するときにヒンジ部に巻き込まれてしまう虞があった。そのため、ヒンジ部付近に遮音部材を設けることは困難であり、その付近においては、箱体と壁部との間を十分にシールすることができなかった。
【０００８】
一方で、仮に、遮音部材を扉部に取り付けた場合、遮音部材は、その扉部やヒンジ部と一体的に動作することになるため、ヒンジ部への巻き込みは防止される。そのため、ヒンジ部付近であっても、十分なシールを行うことが可能となる。しかして、その場合、扉部まわりのデザイン性が損なわれてしまうという点で不都合である。また、扉部が開閉するたびに、遮音部材が壁部に擦れてしまうため、異音が発生したり、遮音部材が摩耗したりするという点においても不都合である。
【０００９】
また、食器洗い機においては、箱体の左右両側部に、例えばアウターフレームを構成するような金属板を取り付ける場合がある。前述の問題は、そうした金属板としての壁部との間のシールにも共通しており、設置スペースを区画する壁部との間のシールには限定されない。
【００１０】
また、前述の問題は、下開き式の扉部を備えた食器洗い機には限定されず、上開き式の扉部や、横開き式の扉部を備えた食器洗い機にも共通している。
【００１１】
ここに開示する技術は、かかる点に鑑みてなされたものであり、その目的とするところは、２枚の壁部の間に配置される箱体と、その箱体を開閉する扉部とを備えた食器洗い機において、遮音部材の巻き込みや擦れを抑制しつつ、箱体と壁部との間の隙間を通じた騒音の漏れを低減することにある。
【課題を解決するための手段】
【００１２】
ここに開示する技術は、２枚の壁部の間に配置され、前面が開口している箱体と、前記箱体の左右又は上下の両側面に配置された一対のヒンジ部により軸支され、前記箱体の開口部を開閉する扉部とを備え、前記箱体において前記ヒンジ部が配置された両側面は、それぞれ、前記壁部に対し所定の間隔を空けて対向する食器洗い機に関する。この食器洗い機は、前記両側面に設けられ、当該箱体の前端部において、当該両側面の各々に沿って延びるように形成された第１部材と、前記ヒンジ部又は前記扉部に設けられ、当該扉部の側面に沿って延びるように且つ、前記扉部が前記開口部を開閉するときに、当該扉部と一体的に揺動するように形成された第２部材とを備える。
【００１３】
そして、前記第２部材は、前記扉部が前記開口部を閉塞しているときに、前記第１部材と共に、前記箱体と前記壁部との間をシールする遮音部材を構成するように配置されている。
【００１４】
この構成によると、遮音部材は、扉部が前記開口部を閉塞しているときに、第１部材と第２部材とから構成される。このとき、ヒンジ部付近においては、第２部材によりシールされる一方、それ以外の箇所については、第１部材によりシールされることになる。第２部材は、扉部と一体的に揺動するよう構成されているため、扉部が開くときに巻き込まれてしまうことはない。このように、遮音部材の巻き込みを招くことなく、ヒンジ部付近においても、十分なシールを行うことが可能になる。
【００１５】
また、前記の構成によると、遮音部材を構成する部材は、扉部又はヒンジ部にのみ設けられているのではなく、第１部材については、箱体に設けられている。そのため、扉部まわりのデザイン性を可能な限り保持することが可能になる。また、第１部材は、扉部と一体的に揺動しないため、第１部材を設けた分については、遮音部材と壁部との擦れを抑制することが可能になる。
【００１６】
かくして、前記の構成によれば、遮音部材の巻き込みや擦れを抑制しつつ、箱体と壁部との間の隙間を通じた騒音の漏れを低減することができる。
【００１７】
また、前記第１部材は、前記扉部が前記開口部を開閉するときに、前記第２部材と干渉しない位置に配置されている、としてもよい。
【００１８】
この構成によると、第１部材と第２部材との間の干渉を防止することができる。そのことで、遮音部材を構成する部材同士の巻き込みや擦れを抑制することが可能になる。
【００１９】
さらに、前記第１部材は、前記扉部が前記開口部を開閉するときにおける、前記第２部材の揺動端部の軌跡に干渉しない位置に配置されている、としてもよい。
【００２０】
この構成によると、第１部材と第２部材との間の干渉をより確実に防止することができる。そのことで、遮音部材を構成する部材同士の巻き込みや擦れをより確実に抑制することが可能になる。
【００２１】
また、前記遮音部材は、前記箱体の一端部から他端部まで連続するように構成されている、としてもよい。
【００２２】
この構成によると、第１部材及び第２部材から構成される遮音部材は、箱体の一端部から他端部まで連続することになる。そのことは、騒音の漏れをより確実に低減する上で有効である。
【００２３】
また、前記第１部材は、一側部分と、前記一側部分に対し左右又は上下に間隔を空けて配置された他側部分とから構成され、前記第２部材は、前記一側部分と前記他側部分との間に介在するように配置されている、としてもよい。
【００２４】
さらに、前記他側部分は、前記一側部分に対し前後に間隔を空けて配置されており、前記第２部材は、前記扉部が前記開口部を閉塞しているときに、前記扉部の後面に対し平行に延びるよう配置される垂直部分と、当該後面に対し垂直に延びるよう配置される水平部分とから構成されている、としてもよい。
【００２５】
この構成によると、第１部材の一側部分と他側部分とが、上下方向及び前後方向に間隔を空けて配置されている場合には、それらの間に介在する第２部材を、直線形状を有する複数の部材から形成することができる。この構成は、第２部材を容易に且つ安価に構成する上で有効である。
【００２６】
また、前記ヒンジ部は、前記扉部の後面に対向する対向面を有し、前記第２部材には、前記後面と前記対向面との間をシールするように、前記扉部の内方に向かって延びる扉側シール部が設けられている、としてもよい。
【００２７】
この構成によると、ヒンジ部の対向面と扉部の後面との間の隙間を通じた騒音の漏れを低減する上で有利になる。
【００２８】
また、前記扉部は、下開き式の扉部であり、前記扉部の下端部から下方に向かって延び且つ、前記箱体の前面に沿ってシート状に広がるよう形成されたスカート部を備え、前記スカート部は、前記箱体の前下部よりも後方に配置されており、前記第２部材には、前記箱体の前下部と前記スカート部の前面との間をシールするように、前記箱体の内方に向かって延びるスカート側シール部が設けられている、としてもよい。
【００２９】
この構成によると、スカート部の後面と箱体との間の隙間を通じた騒音の漏れを低減する上で有利になる。
【００３０】
また、前記壁部は、前記箱体の設置スペースを区画形成している、としてもよい。
【００３１】
また、前記壁部は、前記箱体において前記ヒンジ部が配置された両側部に取付固定される板部である、としてもよい。
【発明の効果】
【００３２】
以上説明したように、前記の構成によると、遮音部材の巻き込みや擦れを抑制しつつ、騒音の漏れを低減することができる。
【図面の簡単な説明】
【００３３】
【図１】食器洗い機の概略斜視図である。
【図２】図１の破れ部周辺の構成を示す部分拡大図である。
【図３】扉部が閉じているときのヒンジ部周辺の状態を示す側面図である。
【図４】扉部が開いているときのヒンジ部周辺の状態を示す側面図である。
【図５】第２部材の垂直部分の構成を示す斜視図である。
【図６】食器洗い機の前下部周辺の構成を一部省略して示す斜視図である。
【図７】実施形態に係る食器洗い機と従来構成に係る食器洗い機とで騒音レベルを比較したグラフである。
【図８】図１の破れ部周辺の構成を正面から視て示す部分拡大図である。
【発明を実施するための形態】
【００３４】
以下、本発明の実施形態を図面に基づいて説明する。以下の説明は例示である。
【００３５】
（食器洗い機の全体構成）
食器洗い機１の全体構成について説明する。図１は、本実施形態の食器洗い機１を示している。図２及び図８は、図１の破れ部周辺の構成を拡大して示している。図３は、扉部３０が閉じているときのヒンジ部２０周辺の状態を示している。図４は、扉部３０が開いているときのヒンジ部２０周辺の状態を示している。図６は、食器洗い機の前下部周辺の構成を一部省略して示している。尚、以下の説明では、図１の紙面右奥から左手前に向かう方向を前方向と称し、その反対方向を後方向と称する。また、図１の紙面左奥から右手前に向かう方向を右方向と称し、その反対方向を左方向と称する。他の図においても、これらに対応する方向を前方向、後方向、右方向、左方向と称する。
【００３６】
食器洗い機１は、前面が開口している箱体１０と、箱体１０の開口部１１を開閉するように、左右のヒンジ部２０、２０により軸支された下開き式の扉部３０とを備えている。食器洗い機１は、いわゆるビルトインタイプの食器洗い機であり、設置スペース１００に組み込まれるよう構成されている。
【００３７】
箱体１０は、略直方体状に形成されており、その前面には、箱体１０内に形成された洗浄槽（不図示）に連通する開口部１１が設けられている。また、箱体１０の前下部（具体的には、箱体１０の前面において、開口部１１よりも下方に位置する部分）には、箱体１０の左右方向に沿って延びる回転軸４０が配設されている（図２〜図４、図６を参照）。また、回転軸４０よりも下方には、図２及び図８に示すように、食器洗い機１を設置スペース１００に組み込む際の蹴り込み部５０が設けられている。蹴り込み部５０は、横長の矩形板状に形成された前板部５１を有している。
【００３８】
扉部３０は、略矩形厚板状に形成されており、その下端部は、左右のヒンジ部２０、２０を介して回転軸４０に連結されている。この連結により、扉部３０は、図３に示す閉じ位置と、図３において反時計回り方向に９０度回転した開き位置（図４参照）との間で、ヒンジ部２０、２０及び回転軸４０と一体的に揺動することになる。
【００３９】
ヒンジ部２０、２０は、箱体１０の左右両側面の前下部に配置された一対の部材であり、扉部３０を軸支している。左右のヒンジ部２０、２０は、双方とも、薄板状に形成されており、図３に示すように、側面視で略Ｌ字形状を有している。扉部３０に沿って平行に延びるＬ字の一辺には、図３及び図６に示すように、扉部３０の後面３１に対向する対向面２１が形成されている。一方で、扉部３０に対し垂直に延びるＬ字の一辺には、図３等に示すように、扉部３０の開き動作を規制するフック部２２が形成されている。詳しくは、フック部２２は、図３において紙面上側が開放されたカギ状に形成されており、扉部３０が開き位置まで開いたときに、箱体１０に設けたストッパー（不図示）に当接することにより、扉部３０の開き動作を規制する。
【００４０】
食器洗い機１は、図６に示すように、扉部３０の下端部から下方に向かって延び且つ、箱体１０の前板部５１に沿ってシート状に広がるよう形成されたスカート部５２を備えている。スカート部５２は、扉部３０の下端部と箱体１０の前板部５１との間の隙間を通じた騒音の漏れを低減するように構成されている。詳しくは、スカート部５２の上端側部分は、ヒンジ部２０に取り付け固定されており、ヒンジ部２０に対し後方に向かって延びている一方、スカート部５２の下端側部分は、前板部５１よりも後方に配置されており、垂下している。
【００４１】
箱体１０の説明に戻ると、前述の箱体１０は、設置スペース１００を区画形成している２枚の壁部１０１、１０２の間に配置されている。設置スペース１００は、例えばシステムキッチンに設けられており、複数枚の壁部によって区画形成されている。複数枚の壁部は、箱体１０の設置面Ｆに対し立ち上がるように延びる２枚の壁部１０１、１０２を有している。箱体１０は、それら２枚の壁部１０１、１０２の間に配置されている。また、箱体１０においてヒンジ部２０、２０が配置された両側面は、それぞれ、壁部１０１、１０２に対し所定の間隔を空けて対向している。詳しくは、箱体１０の右側面は、図８に示すように、一方の壁部１０１に対し所定の間隔（隙間）を空けて対向している一方、箱体１０の左側面は、他方の壁部１０２に対し所定の間隔を空けて対向している。こうした間隔を空けた分だけ、箱体１０と壁部１０１、１０２との間には隙間が空いており、その隙間を通じた騒音を遮音するべく、本実施形態に係る食器洗い機１には、箱体１０と壁部１０１、１０２との間をシールする遮音部材６０が設けられている。
【００４２】
（遮音部材の構成）
次に、遮音部材６０について説明する。以下、箱体１０の右側面の前下部周辺の構成について説明する。食器洗い機１は、右側面側と左側面側とで同様に構成されているため、箱体１０の左側面側の構成についての説明は省略する。
【００４３】
食器洗い機１は、図２〜図４に示すように、箱体１０の右側面に設けられ、箱体１０の前端部において右側面に沿って延びるように形成された第１部材７０と、ヒンジ部２０に設けられ、扉部３０の右側面に沿って延びるように且つ、扉部３０が開口部１１を開閉するときに、当該扉部３０と一体的に揺動するように形成された第２部材８０とを備えている。この第２部材８０は、以下で詳述するように、扉部３０が開口部１１を閉塞しているとき（すなわち、扉部３０が閉じ位置にあるとき）に、第１部材７０と共に遮音部材６０を構成するように配置されている。
【００４４】
第１部材７０は、箱体１０の前端部において上下に延びるように形成されており、回転軸４０を挟んで上方に位置する上側部分７１と、下方に位置する下側部分７２とを有している。詳しくは、第１部材７０は、箱体１０の上端部から回転軸４０の上方位置まで直線状に延びる上側部分７１と、上側部分７１に対して上下に間隔を空けて配置され、箱体１０の設置面Ｆから回転軸４０の下方位置まで直線状に延びる下側部分７２とを有している。また、図２〜図４に示すように、下側部分７２は、上側部分７１よりも後方に位置している。下側部分７２はまた、蹴り込み部５０の前板部５１に沿って延びるように配置されている。尚、上側部分７１は、「一側部分」の一例であり、下側部分７２は、「他側部分」の一例である。
【００４５】
第１部材７０は、合成ゴムから形成されている。図２〜図４に示すように、第１部材７０の上側部分７１は、箱体１０の右側面に沿って延びる取付板部７１ａと、取付板部７１ａに対し垂直に立設されたシール部７１ｂとを有している。同様に、第１部材７０の下側部分７２は、箱体１０の右側面に沿って延びる取付板部７２ａと、取付板部７２ａに対し垂直に立設されたシール部７２ｂとを有している。詳しくは、取付板部７１ａ、７２ａは、双方とも、箱体１０の上下方向に沿って延びる矩形薄板状の外形を有している。上側部分７１のシール部７１ｂは、取付板部７１ａの長手側の側縁部のうち、前側に位置する一方から立設されている。下側部分７２のシール部７２ｂは、取付板部７２ａの長手側の側縁部のうち、前側に位置する一方から立設されている。
【００４６】
第１部材７０は、後述の如く、扉部３０が開口部１１を開閉するときに、第２部材８０と干渉しない位置に配置されている。
【００４７】
第２部材８０は、図３〜図４に示すように、扉部３０が閉じ位置から開き位置まで開くときに、図３に示す状態から図４に示す状態まで紙面反時計回り方向に約９０度回転する。
【００４８】
第２部材８０は、図３〜図４に示すように、第１部材７０の上側部分７１と下側部分７２との間に介在している。第２部材８０は、扉部３０が閉じ位置にあるときには、上側部分７１の下端部と、下側部分７２の上端部とを接続するように配置されることになる。そのような接続によって、第２部材８０は、図３の２点鎖線に示すように、第１部材７０と共に、箱体１０の一端部（この例では、箱体１０の上端部）から他端部（この例では、箱体１０の下端部）まで連続する遮音部材６０を構成することになる。
【００４９】
具体的には、第２部材８０は、扉部３０の後面に対し平行に延びるよう配置される（具体的には、扉部３０が閉じ位置にあるときに、上下方向に延びるよう配置される）垂直部分８１と、扉部３０の後面に対し垂直に延びるよう配置される（具体的には、扉部３０が閉じ位置にあるときに、前後方向に延びるよう配置される）水平部分８２とから構成されている。詳しくは、垂直部分８１は、扉部３０が閉じ位置にあるときに、第１部材７０の上側部分７１の下端部から下方に延びるように配置され、水平部分８２は、垂直部分８１の下端部から下側部分７２の上端部付近まで後方（設置スペース１００の奥側であり且つ、図３〜図４における紙面右側）に延びるように配置されることになる。
【００５０】
図５は、第２部材８０の垂直部分８１の構成を示している。
【００５１】
第２部材８０は、第１部材７０と同様に、合成ゴムから構成されている。第２部材８０の垂直部分８１は、図５に示すように、矩形長板状の取付板部８１ａと、取付板部８１ａの長手側の側縁部の両方から立設されたシール部８１ｂ、８１ｃと、取付板部８１ａの長手側の側縁部の一方からシール部８１ｂ、８１ｃとは反対側方向に向かって立設された扉側シール部８１ｄとを有している。
【００５２】
垂直部分８１の取付板部８１ａは、扉部３０の後面に沿って取り付けられており、ヒンジ部２０のＬ字の一辺、具体的には扉部３０の後面に対し平行に延びる一辺に沿うように配置されている。取付板部８１ａには、２つのネジ穴（不図示）が、長手方向に間隔を空けて形成されており、これらのネジ穴を介してヒンジ部２０にネジ止めされている。
【００５３】
垂直部分８１のシール部８１ｂ、８１ｃは、図５に示すように、取付板部８１ａの短手方向に並んでおり、それぞれ、長手側の側縁部から立設されている。シール部８１ｂ、８１ｃは、図５に示すように、略“く”の字状の横断面を有している。シール部８１ｂ、８１ｃは、それぞれ、箱体１０から壁部１０１に向かって延びるように形成されている。
【００５４】
扉側シール部８１ｄと、２つのシール部８１ｂ、８１ｃのうち扉部３０が閉じ位置にあるときに前側に配置される一方のシール部８１ｂとは、取付板部８１ａに対して鏡映対称の関係にあるように形成されている。扉側シール部８１ｄは、食器洗い機１が組み立てられた状態にあっては、扉部３０の後面３１とヒンジ部２０の対向面２１との間をシールするように、扉部３０の内方に向かって延びるように配置されている。すなわち、扉側シール部８１ｄは、扉部３０の後面３１とヒンジ部２０の対向面２１との間に挿入されるように構成されている。
【００５５】
一方、第２部材８０の水平部分８２は、図６等に示すように、矩形板状の取付板部８２ａと、取付板部８２ａの長手側の側縁部の両方から立設されたシール部８２ｂ、８２ｃと、取付板部８２ａの長手側の側縁部の一方からシール部８２ｂとは反対側方向に向かって立設されたスカート側シール部８２ｄとを有している。
【００５６】
水平部分８２の取付板部８２ａは、扉部３０の後面に垂直な方向に沿って取り付けられており、ヒンジ部２０のＬ字の一辺、具体的には扉部３０の後面に対し垂直に延びる一辺に沿うように配置されている。取付板部８２ａには、垂直部分８１の取付板部８１ａと同様に、２つのネジ穴（不図示）が、長手方向に間隔を空けて形成されており、これらのネジ穴を介してヒンジ部２０にネジ止めされている。
【００５７】
水平部分８２のシール部８２ｂ、８２ｃは、図３〜図４、及び図６に示すように、取付板部８２ａの短手方向に並んでおり、それぞれ、長手側の側縁部から立設されている。シール部８２ｂ、８２ｃは、図６に示すように、略“く”の字状の横断面を有している。シール部８２ｂ、８２ｃは、それぞれ、箱体１０から壁部１０１に向かって延びるように形成されている。２つのシール部８２ｂ、８２ｃのうち、扉部３０の回転方向の進み側に位置する一方のシール部８２ｃ、すなわち、回転軸４０に対して、紙面時計回り方向の先側（図３の上側）に位置するシール部８２ｃは、扉部３０が開き位置まで開いたときに、第１部材７０の上側部分７１と干渉しない長さに形成されている。具体的には、図３に示すように、このシール部８２ｃは、他方のシール部８２ｂよりも短く形成されている。
【００５８】
また、シール部８２ｂ、８２ｃの揺動端部と回転軸４０の回転軸心との間の距離は、フック部２２の揺動端部と回転軸４の回転軸心との間の距離よりも短くなるように構成されている。このように構成することで、フック部２２は、シール部８２ｂ、８２ｃよりも大回りに揺動することとなるため、フック部２２がストッパー（不図示）に当接する際に、シール部８２ｂ、８２ｃが邪魔にならない。
【００５９】
スカート側シール部８２ｄと、２つのシール部８２ｂ、８２ｃのうち扉部３０が閉じ位置にあるときに下方に位置する一方のシール部８２ｂとは、取付板部８２ａに対して鏡映対称の関係にあるように形成されている。スカート側シール部８２ｄは、図６に示すように、前板部５１の後面とスカート部５２の前面との間をシールするように、箱体１０の内方に向かって延びるように配置されている。すなわち、スカート側シール部８２ｄは、前板部５１の後面とスカート部５２の前面との間に挿入されるように構成されている。
【００６０】
図４の２点鎖線は、扉部３０が開口部１１を開閉するときにおける、第２部材８０の揺動端部の軌跡Ａ１、Ａ２を示している。軌跡Ａ１は、垂直部分８１の揺動端部（この例では、シール部８１ｃの端部）の軌跡を示しており、軌跡Ａ２は、水平部分８２の揺動端部（この例では、シール部８２ｂの端部）の軌跡を示している。図４に示すように、第１部材７０の上側部分７１及び下側部分７２は、双方とも、垂直部分８１の軌跡Ａ１、及び、水平部分８２の軌跡Ａ２の両方に干渉しない位置に配置されている。よって、扉部３０が開閉するときに、第１部材７０と第２部材８０とが互いに干渉し合うことはない。
【００６１】
（食器洗い機の動作説明）
以下、食器洗い機１の動作について説明する。
【００６２】
食器洗い機１を使用するときには、使用者は、扉部３０を開き、箱体１０内の洗浄槽に食器を配置する。食器が配置されると、使用者は、扉部３０を閉じて食器洗い機１を作動させる。食器洗い機１が作動すると、その内部からは、食器に水をかけたり、食器にかかった水が滴下したりしたことに伴う騒音や、食器洗い機１の駆動音に起因する騒音等が生じる。そうした騒音は、箱体１０と壁部１０１、１０２との間の隙間を通じて外部へ漏れ出そうとするものの、第１部材７０と第２部材８０とで構成される遮音部材６０によって遮音されることになる。
【００６３】
図７は、実施形態に係る食器洗い機１と、従来構成に係る食器洗い機とで騒音レベルを比較したグラフである。図７の横軸は、外部に漏れ出た騒音の周波数を示しており、縦軸は、その騒音レベルの大きさを示している。実施形態に係る食器洗い機１の騒音レベルは、図７においては「本発明」と記されており、実線で図示されている。一方、従来構成に係る食器洗い機の騒音レベルは、図７においては「現行」と記されており、破線で図示されている。尚、ここでいう従来構成とは、箱体にのみ遮音部材が取り付けられており、ヒンジ部付近には遮音部材が取り付けられていない構成を意味している。
【００６４】
図７より、実施形態に係る食器洗い機１では、周波数の全域にわたって、騒音レベルが低減していることが見て取れよう。
【００６５】
（まとめ）
以上説明したように、前記の構成によると、遮音部材６０は、扉部３０が開口部１１を閉塞しているときに、第１部材７０と第２部材８０とから構成される。そのとき、ヒンジ部２０付近においては、第２部材８０によりシールされる一方、それ以外の箇所については、第１部材７０によりシールされることになる。第２部材８０は、扉部３０と一体的に揺動するよう構成されているため、扉部３０が開くときに巻き込まれてしまうこともない。このように、遮音部材６０の巻き込みを招くことなく、ヒンジ部２０付近においても、十分なシールを行うことが可能になる。
【００６６】
また、前記の構成によると、第１部材７０は、箱体１０に取り付けられているため、扉部３０まわりのデザイン性を可能な限り保持することが可能になる。また、第１部材７０は、扉部３０と一体的に揺動しないため、第１部材７０を設けた分だけ、遮音部材６０と壁部１０１、１０２との擦れを抑制することが可能になる。
【００６７】
かくして、前記の構成によれば、遮音部材６０の巻き込みや擦れを抑制しつつ、箱体１０と壁部１０１、１０２との間の隙間を通じた騒音の漏れを低減することができる。
【００６８】
さらに、第１部材７０は、扉部３０が開口部１１を開閉するときの第２部材８０の揺動端部の軌跡Ａ１、Ａ２に干渉しない位置に配置されているから、第１部材７０と第２部材８０との干渉をより確実に防止することができる。そのことで、遮音部材６０を構成する部材７０、８０同士の巻き込みや擦れをより確実に抑制することが可能になる。
【００６９】
また、前記の構成によると、第１部材７０及び第２部材８０から構成される遮音部材６０は、箱体１０の上端部から下端部まで連続することになる。そのことは、騒音の漏れをより確実に低減する上で有効である。
【００７０】
また、前記の構成によると、第１部材７０の下側部分７２と上側部分７１とが、上下方向及び前後方向に間隔を空けて配置されている場合には、第２部材８０を、直線形状を有する複数の部材８１、８２から形成する。この構成は、第２部材８０を容易に且つ安価に構成する上で有効である。
【００７１】
また、前記のように、扉側シール部８１ｄを設けたことは、ヒンジ部２０の対向面と扉部３０の後面との間の隙間を通じた騒音の漏れを低減する上で有効である。
【００７２】
また、前記のように、スカート側シール部８２ｄを設けたことは、スカート部５２の後面と箱体１０との間の隙間を通じた騒音の漏れを低減する上で有効である。
【００７３】
〈〈他の実施形態〉〉
前記実施形態について、以下のような構成としてもよい。
【００７４】
前記食器洗い機１の構成は、一例であり、この構成に限られるものではない。
【００７５】
前記実施形態では、２枚の壁部１０１、１０２は、箱体１０の設置スペース１００を区画形成しており、遮音部材６０は、箱体１０と壁部１０１、１０２との間の隙間を通じた騒音の漏れを低減するように構成されていたが、この構成には限られない。例えば、２枚の壁部は、箱体１０の左右両側部に取付固定される板部である、としてもよい。そうした板部には、例えば、箱体のアウターフレームを構成する金属板が含まれる。その場合、箱体は、左右の両側部に板部を取り付けた状態で、設置スペースに組み込まれることになる。この場合、遮音部材は、箱体と板部との間の隙間を通じた騒音の漏れを低減するように機能する。
【００７６】
また、前記実施形態では、第２部材８０は、扉部３０が閉じ位置にあるときに、上下方向に延びるよう配置される垂直部分８１と、前後方向に延びるよう配置される水平部分８２とから構成されていたが、この構成には限られない。例えば、第１部材７０の上側部分７１の下端部から、下側部分７２の上端部まで直線状に、又は、曲線状に延びる一体の部材から構成してもよい。
【００７７】
また、前記実施形態では、スカート側シール部８２ｄは、前板部５１の後面とスカート部５２の前面との間に挿入されるように構成されていたが、この構成には限定されない。例えば、スカート部５２の後面と箱体１０のフレームとの間に挿入してもよい。
【００７８】
また、前記実施形態では、扉部３０は、下開き式の扉部として構成されていたが、この構成には限定されない。例えば、扉部３０を、上開き式の扉部として構成してもよい。その場合、左右のヒンジ部２０、２０は、箱体１０の左右両側面の前上部に配置されることになる。また、扉部３０を、横開き式の扉部として構成してもよい。その場合、２つのヒンジ部２０、２０は、箱体の上下両側面の前部に配置されることになる。
【００７９】
また、前記実施形態では、第２部材８０は、ヒンジ部２０に設けられていたが、この構成には限定されない。例えば、第２部材８０を、扉部３０の下端部付近に取り付けてもよい。
【符号の説明】
【００８０】
１      食器洗い機
１０    箱体
１１    開口部
２０    ヒンジ部
２１    ヒンジ部の対向面
３０    扉部
３１    扉部の後面
５２    スカート部
６０    遮音部材
７０    第１部材
７１    上側部分（一側部分）
７２    下側部分（他側部分）
８０    第２部材
８１    垂直部分
８１ｄ  扉側シール部
８２    水平部分
８２ｄ  スカート側シール部
１００  設置スペース
１０１  壁部
１０２  壁部
Ａ１    軌跡
Ａ２    軌跡
【図１】
2017131394.tif 000003
【図２】
2017131394.tif 000004
【図３】
2017131394.tif 000005
【図４】
2017131394.tif 000006
【図５】
2017131394.tif 000007
【図６】
2017131394.tif 000008
【図７】
2017131394.tif 000009
【図８】
2017131394.tif 000010